(57)【要約】【課題】受付番号券による順番待ち制御と、時間指定による順番待ち制御とを両立可能な順番待ち制御装置、順番待ち制御方法及び順番待ち制御プログラムを提供することを目的とする。【解決手段】受付番号券の発券順による順番決定と、時間指定による順番決定とを両立する順番待ち制御装置１であって、発券者に受付番号券を発券する発券機２を制御する発券機制御手段４２と、予約者の端末からネットワーク経由で予約時刻を受け付ける予約受付手段４３と、順番待ち中の発券者および予約者の人数及び一人あたりの所要見込み時間から受付番号券を発券済の受付番号の次の受付番号の開始見込み時刻を算出し、その開始見込み時刻が予約時刻と近似していれば次の受付番号を予約者の受付番号として仮押さえするように番号テーブル手段４８に設定する番号調整手段４４とを有することにより上記課題を解決する。【選択図】  図４
2014102858.tif 000002
【特許請求の範囲】
【請求項１】
受付番号が付与された受付番号券の発券順による順番決定と、時間指定による順番決定とを両立する順番待ち制御装置であって、
未設定の前記受付番号を識別可能に管理する番号テーブル手段と、
前記受付番号券を発券する発券手段を制御し、前記受付番号券の発券順により順番が決定される発券者に前記番号テーブル手段により識別される未設定の前記受付番号を付与した受付番号券を発券する発券機制御手段と、
時間指定により順番が決定される予約者の端末からネットワーク経由で予約時刻を受け付ける予約受付手段と、
順番待ち中の前記発券者および予約者の人数及び一人あたりの所要見込み時間から前記受付番号券を発券済の受付番号の次の受付番号の開始見込み時刻を算出し、その開始見込み時刻が前記予約時刻と近似していれば該次の受付番号を前記予約者の受付番号として仮押さえするように前記番号テーブル手段に設定する番号調整手段と
を有することを特徴とする順番待ち制御装置。
【請求項２】
前記予約時刻から所定時間前に、前記仮押さえした前記予約者の受付番号を前記予約者の端末に通知すると共に、前記仮押さえした前記予約者の受付番号を、順番待ち中の前記受付番号として前記番号テーブル手段に設定する本発行手段を更に有することを特徴とする請求項１記載の順番待ち制御装置。
【請求項３】
順番待ち中の前記発券者および予約者の人数及び一人あたりの所要見込み時間から次の受付番号の開始見込み時刻を算出し、その開始見込み時刻が前記予約時刻よりも所定時間以上早ければ、前記仮押さえした前記予約者の受付番号の仮押さえを解除する前倒し調整手段を更に有することを特徴とする請求項１記載の順番待ち制御装置。
【請求項４】
前記番号テーブル手段が管理している設定済の前記受付番号のうち、順番待ち中の最初の前記受付番号を現在の順番として出力すると共に、現在の順番として出力した前記受付番号を、順番待ち済みの前記受付番号として前記番号テーブル手段に設定する連携手段を更に有することを特徴とする請求項１記載の順番待ち制御装置。
【請求項５】
受付番号が付与された受付番号券の発券順による順番決定と、時間指定による順番決定とを両立する、未設定の前記受付番号を識別可能に管理する番号テーブル手段と、前記受付番号券を発券する発券手段とを有している順番待ち制御装置における順番待ち制御方法であって、
前記発券手段を制御し、前記受付番号券の発券順により順番が決定される発券者に前記番号テーブル手段により識別される未設定の前記受付番号を付与した受付番号券を発券する発券機制御ステップと、
時間指定により順番が決定される予約者の端末からネットワーク経由で予約時刻を受け付ける予約受付ステップと、
順番待ち中の前記発券者および予約者の人数及び一人あたりの所要見込み時間から前記受付番号券を発券済の受付番号の次の受付番号の開始見込み時刻を算出し、その開始見込み時刻が前記予約時刻と近似していれば該次の受付番号を前記予約者の受付番号として仮押さえするように前記番号テーブル手段に設定する番号調整ステップと
を有することを特徴とする順番待ち制御方法。
【請求項６】
記憶装置、演算処理装置を含み、受付番号が付与された受付番号券の発券順による順番決定と、時間指定による順番決定とを両立するコンピュータにおいて実行される順番待ち制御プログラムであって、
前記記憶装置は、未設定の前記受付番号を識別可能に管理する番号テーブル手段を有しており、
前記演算処理装置を、
前記受付番号券を発券する発券手段を制御し、前記受付番号券の発券順により順番が決定される発券者に前記番号テーブル手段により識別される未設定の前記受付番号を付与した受付番号券を発券する発券機制御手段と、
時間指定により順番が決定される予約者の端末からネットワーク経由で予約時刻を受け付ける予約受付手段と、
順番待ち中の前記発券者および予約者の人数及び一人あたりの所要見込み時間から前記受付番号券を発券済の受付番号の次の受付番号の開始見込み時刻を算出し、その開始見込み時刻が前記予約時刻と近似していれば該次の受付番号を前記予約者の受付番号として仮押さえするように前記番号テーブル手段に設定する番号調整手段として実行させる順番待ち制御プログラム。
【発明の詳細な説明】
【技術分野】
【０００１】
本発明は、順番待ち制御装置、順番待ち制御方法及び順番待ち制御プログラムに係り、特に受付番号を利用する順番待ち制御装置、順番待ち制御方法及び順番待ち制御プログラムに関する。
【背景技術】
【０００２】
例えば金融機関の窓口では、来店した顧客が番号札発行機から発行される番号札により取引待ち順番を獲得し、呼出番号表示装置に自分の持っている番号札に書かれている呼出番号が表示され次第、窓口に出向いて取引を行っている（例えば特許文献１参照）。
【０００３】
特許文献１のような順番待ち制御方法では、待ち行列が長くなるほど、顧客の待ち時間も増大するという問題がある。このような問題に対して、従来の順番待ち制御方法では顧客から予約された時間に窓口で取引を行いたいという要望があった。また、特許文献２では病院における診察を希望する患者が電話にて診察予約を行う内容が記載されている。
【先行技術文献】
【特許文献】
【０００４】
【特許文献１】特開２００２−２０７８８５号公報
【特許文献２】特開２００５−１５７５９７号公報
【発明の概要】
【発明が解決しようとする課題】
【０００５】
しかしながら、従来の順番待ち制御方法では、番号札による順番待ち制御方法と予約による順番待ち制御とを別々に行う必要があり、番号札による順番待ち制御方法と予約による順番待ち制御とを両立させることが難しかった。すなわち、従来の順番待ち制御方法では番号札による順番決定と予約による順番決定とが別々であるため、番号札により決定される順番と予約により決定される順番との関係を、どのように管理するかが問題となっていた。
【０００６】
このように、従来の順番待ち制御方法では、番号札（受付番号券）による順番待ち制御方法と、予約（時間指定）による順番待ち制御とを両立させることが難しいという問題があった。
【０００７】
本発明は、上記の点に鑑みなされたもので、受付番号券による順番待ち制御と、時間指定による順番待ち制御とを両立可能な順番待ち制御装置、順番待ち制御方法及び順番待ち制御プログラムを提供することを目的とする。
【課題を解決するための手段】
【０００８】
上記課題を解決するため、本発明は、受付番号が付与された受付番号券の発券順による順番決定と、時間指定による順番決定とを両立する順番待ち制御装置であって、未設定の前記受付番号を識別可能に管理する番号テーブル手段と、前記受付番号券を発券する発券手段を制御し、前記受付番号券の発券順により順番が決定される発券者に前記番号テーブル手段により識別される未設定の前記受付番号を付与した受付番号券を発券する発券機制御手段と、時間指定により順番が決定される予約者の端末からネットワーク経由で予約時刻を受け付ける予約受付手段と、順番待ち中の前記発券者および予約者の人数及び一人あたりの所要見込み時間から前記受付番号券を発券済の受付番号の次の受付番号の開始見込み時刻を算出し、その開始見込み時刻が前記予約時刻と近似していれば該次の受付番号を前記予約者の受付番号として仮押さえするように前記番号テーブル手段に設定する番号調整手段とを有することを特徴とする。
【０００９】
また、本発明は、受付番号が付与された受付番号券の発券順による順番決定と、時間指定による順番決定とを両立する、未設定の前記受付番号を識別可能に管理する番号テーブル手段と、前記受付番号券を発券する発券手段とを有している順番待ち制御装置における順番待ち制御方法であって、前記発券手段を制御し、前記受付番号券の発券順により順番が決定される発券者に前記番号テーブル手段により識別される未設定の前記受付番号を付与した受付番号券を発券する発券機制御ステップと、時間指定により順番が決定される予約者の端末からネットワーク経由で予約時刻を受け付ける予約受付ステップと、順番待ち中の前記発券者および予約者の人数及び一人あたりの所要見込み時間から前記受付番号券を発券済の受付番号の次の受付番号の開始見込み時刻を算出し、その開始見込み時刻が前記予約時刻と近似していれば該次の受付番号を前記予約者の受付番号として仮押さえするように前記番号テーブル手段に設定する番号調整ステップとを有することを特徴とする。
【００１０】
さらに、本発明は、記憶装置、演算処理装置を含み、受付番号が付与された受付番号券の発券順による順番決定と、時間指定による順番決定とを両立するコンピュータにおいて実行される順番待ち制御プログラムであって、前記記憶装置は、未設定の前記受付番号を識別可能に管理する番号テーブル手段を有しており、前記演算処理装置を、前記受付番号券を発券する発券手段を制御し、前記受付番号券の発券順により順番が決定される発券者に前記番号テーブル手段により識別される未設定の前記受付番号を付与した受付番号券を発券する発券機制御手段と、時間指定により順番が決定される予約者の端末からネットワーク経由で予約時刻を受け付ける予約受付手段と、順番待ち中の前記発券者および予約者の人数及び一人あたりの所要見込み時間から前記受付番号券を発券済の受付番号の次の受付番号の開始見込み時刻を算出し、その開始見込み時刻が前記予約時刻と近似していれば該次の受付番号を前記予約者の受付番号として仮押さえするように前記番号テーブル手段に設定する番号調整手段として実行させる順番待ち制御プログラムであることを特徴とする。
【発明の効果】
【００１１】
上述の如く、本発明によれば、受付番号券による順番待ち制御と、時間指定による順番待ち制御とを両立可能な順番待ち制御装置、順番待ち制御方法及び順番待ち制御プログラムを提供可能である。
【図面の簡単な説明】
【００１２】
【図１】本発明による順番待ち制御システムの一実施例のシステム構成図である。
【図２】本発明による順番待ち制御システムの他の実施例のシステム構成図である。
【図３】順番待ち制御装置の一例の構成図である。
【図４】本発明による順番待ち制御装置の処理ブロックの一例を示したブロック構成図である。
【図５】本発明による順番待ち制御装置の処理手順の一例を示しているフローチャートである。
【図６】発券制御部が行う発券処理の一例を示したフローチャートである。
【図７】番号テーブルの一例の構成図である。
【図８】予約受付部が行う予約受付処理の一例を示したフローチャートである。
【図９】処理条件テーブルの一例の構成図である。
【図１０】仮押さえ番号作業テーブルの一例の構成図である。
【図１１】前倒し調整部が行う前倒し調整処理の一例を表したフローチャートである。
【図１２】本発行部が行う本発行処理の一例を表したフローチャートである。
【図１３】窓口事務連携部が行う窓口連携処理の一例を表したフローチャートである。
【図１４】番号調整部が行う番号調整処理の一例を表したフローチャートである。
【図１５】本発明による順番待ち制御システムの運用イメージを模式的に表した説明図である。
【発明を実施するための形態】
【００１３】
次に、本発明を実施するための最良の形態を、以下の実施例に基づき図面を参照しつつ説明していく。なお、本実施例では受付番号を利用する順番待ち制御の一例として金融機関の窓口を例に説明するが、受付番号を利用する如何なる順番待ち制御装置、順番待ち制御方法及び順番待ち制御プログラムであってもよい。
【００１４】
図１は本発明による順番待ち制御システムの一実施例のシステム構成図である。図１の順番待ち制御システムは、順番待ち制御装置１，発券機２，端末３，呼出番号表示装置４及びネットワーク５を有する構成である。
【００１５】
順番待ち制御装置１は、発券機２からの受付番号券の発券要求と、端末３からの時間指定による予約申請とを受け付ける。順番待ち制御装置１は、受付番号券の発券順による順番決定と、時間指定による順番決定とを両立できるように、発券機２及び呼出番号表示装置４を制御する。なお、順番待ち制御装置１の詳細は後述する。
【００１６】
発券機２は、金融機関に来店した顧客が例えばボタン等を押下することで、受付番号が印刷された受付番号券を発券する。発券機２が受付番号券に印刷する受付番号は順番待ち制御装置１により制御される。
【００１７】
端末３は、時間指定による予約申請を行う顧客が操作する携帯電話等である。顧客が時間指定による予約申請の為の操作を行うと、端末３は予約申請を例えば電子メール等で順番待ち制御装置１へ送信する。予約時刻に近づくと、端末３は順番待ち制御装置１から受付番号を受信し、画面へ表示する。予約申請を行った顧客の場合、受付番号の表示された端末３の画面自体が受付番号券の代わりとなる。
【００１８】
なお、後述では、予約申請を行わずに受付番号券を発券した顧客と端末３から予約申請を行った顧客とを区別する必要がある場合、予約申請を行わずに受付番号券を発券した顧客を無予約顧客と呼び、予約申請を行った顧客を予約顧客と呼ぶ。
【００１９】
呼出番号表示装置４は、金融機関の職員が例えばボタン等を押下することで、次に呼び出す受付番号を表示するものである。顧客は、自分の持っている受付番号券の受付番号又は端末３に表示されている受付番号が呼出番号表示装置４に表示され次第、窓口に出向いて取引等を行う。呼出番号表示装置４が表示する受付番号は順番待ち制御装置１により制御される。
【００２０】
ネットワーク５は、例えばインターネット，ＬＡＮ，ＷＡＮ等であり、順番待ち制御装置１，発券機２，端末３，呼出番号表示装置４をデータ通信可能に接続している。図１の順番待ち制御システムでは、順番待ち制御装置１が、端末３から時間指定による予約申請を受け付けているが、図２の順番待ち制御システムのような構成としてもよい。
【００２１】
図２は本発明による順番待ち制御システムの他の実施例のシステム構成図である。図２の順番待ち制御システムは、順番待ち制御装置１，発券機２，端末３，呼出番号表示装置４，ネットワーク５，予約受付装置６を有する構成である。
【００２２】
図２の順番待ち制御システムでは、順番待ち制御装置１が、端末３から時間指定による予約申請を直接受け付けず、予約受付装置６を介して端末３から時間指定による予約申請を受け付けている。
【００２３】
顧客が時間指定による予約申請の為の操作を行うと、端末３は予約申請を電子メール等で予約受付装置６へ送信する。なお、予約受付装置６は予約申請の為のＷｅｂ画面を端末３に表示させて、そのＷｅｂ画面に入力された予約申請を受信してもよい。予約受付装置６は端末３から受信した予約申請を順番待ち制御装置１へ送信する。
【００２４】
図２の順番待ち制御システムでは、例えば順番待ち制御装置１，発券機２及び呼出番号表示装置４が店舗毎に設けられている場合に、予約受付装置６が全ての店舗に対する予約申請を受信し、その予約申請を各店舗の順番待ち制御装置１に振り分けるというような運用も可能となる。その他は、図１の順番待ち制御システムと同様であるため、説明を省略する。
【００２５】
図３は、順番待ち制御装置の一例の構成図である。順番待ち制御装置１は、それぞれバスＢで相互に接続されている入力装置１１，出力装置１２，ドライブ装置１３，補助記憶装置１４，メモリ装置１５，演算処理装置１６およびインターフェース装置１７で構成される。
【００２６】
入力装置１１はキーボードやマウスなどで構成され、各種信号を入力するために用いられる。出力装置１２はディスプレイ装置などで構成され、各種ウインドウやデータ等を表示するために用いられる。インターフェース装置１７は、モデム，ＬＡＮカードなどで構成されており、ネットワーク５に接続する為に用いられる。
【００２７】
本発明の順番待ち制御プログラムは、順番待ち制御装置１を制御する各種プログラムの少なくとも一部である。順番待ち制御プログラムは、例えば記録媒体１８の配布やネットワーク５からのダウンロードなどによって提供される。なお、記録媒体１８は、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００２８】
また、順番待ち制御プログラムを記録した記録媒体１８がドライブ装置１３にセットされると、順番待ち制御プログラムは記録媒体１８からドライブ装置１３を介して補助記憶装置１４にインストールされる。また、ネットワーク５からダウンロードされた順番待ち制御プログラムは、インターフェース装置１７を介して補助記憶装置１４にインストールされる。補助記憶装置１４は、インストールされた順番待ち制御プログラムを格納すると共に、必要なファイル，データ等を格納する。
【００２９】
メモリ装置１５は、起動時に補助記憶装置１４から順番待ち制御プログラムを読み出して格納する。そして、演算処理装置１６はメモリ装置１５に格納された順番待ち制御プログラムに従って、後述するような順番待ち制御装置１の各種処理を実現している。
【００３０】
以下では、図１の順番待ち制御システムにおける順番待ち制御装置１を例に説明しているが、図２の順番待ち制御システムにおける順番待ち制御装置１も予約受付装置６を介して端末３から時間指定による予約申請を受け付けていることを除いて同様である。
【００３１】
図４は本発明による順番待ち制御装置の処理ブロックの一例を示したブロック構成図である。図４の順番待ち制御装置１は、窓口事務連携部４１，発券制御部４２，予約受付部４３，番号調整部４４，前倒し調整部４５，本発行部４６，処理条件テーブル４７，番号テーブル４８，仮押さえ番号作業テーブル４９を有する構成である。
【００３２】
なお、窓口事務連携部４１，発券制御部４２，予約受付部４３，番号調整部４４，前倒し調整部４５，本発行部４６，処理条件テーブル４７，番号テーブル４８，仮押さえ番号作業テーブル４９の詳細は、後述のフローチャートと共に説明する。
【００３３】
図５は、本発明による順番待ち制御装置の処理手順の一例を示したフローチャートである。ステップＳ１に進み、発券制御部４２は発券機２からの受付番号券の発券要求があるか否かを判定する。発券要求があれば（Ｓ１においてＹＥＳ）、発券制御部４２はステップＳ２に進み、後述の発券処理を行う。発券要求がなければ（Ｓ１においてＮＯ）、発券制御部４２はステップＳ２の発券処理を行わない。
【００３４】
ステップＳ３に進み、予約受付部４３は端末３からの時間指定による予約申請があるか否かを判定する。予約申請があれば（Ｓ３においてＹＥＳ）、予約受付部４３はステップＳ４に進み、後述の予約受付処理を行う。予約申請がなければ（Ｓ３においてＮＯ）、予約受付部４３はステップＳ４の予約受付処理を行わない。
【００３５】
ステップＳ５に進み、前倒し調整部４５は後述の前倒し調整処理を行う。ステップＳ６に進み、本発行部４６は後述の本発行処理を行う。そして、ステップＳ７に進み、窓口事務連携部４１は職員等がボタン等を押下して、次に呼び出す受付番号を呼出番号表示装置４に表示する窓口連携があるか否かを判定する。
【００３６】
窓口連携があれば（Ｓ７においてＹＥＳ）、窓口事務連携部４１はステップＳ８に進んで後述の窓口連携処理を行う。窓口連携がなければ（Ｓ７においてＮＯ）、窓口事務連携部４１はステップＳ８の窓口連携処理を行わない。図５に示した順番待ち制御装置１の処理は繰り返し行われる。
【００３７】
図６は発券制御部が行う発券処理の一例を示したフローチャートである。ステップＳ１１に進み、発券制御部４２は発券機２から受付番号券の発券要求を受け付ける。ステップＳ１２に進み、発券制御部４２は番号調整部４４に後述の番号調整処理を行わせる。
【００３８】
ステップＳ１３に進み、発券制御部４２は図７に示す番号テーブル４８のレコードを番号順に読み出す。図７は番号テーブルの一例の構成図である。図７の番号テーブル４８のレコードは番号およびフラグを項目として含む構成である。項目「番号」は、受付番号を表すものである。また、項目「フラグ」は発行した受付番号の状態を表すものである。
【００３９】
例えば項目「フラグ」は、未設定の受付番号を「−」、設定済の受付番号のうち窓口での取引等が終了した受付番号を「済」、設定済の受付番号のうち窓口での取引等を行っている最中の受付番号を「中」、設定済の受付番号のうち順番待ち中の受付番号を「待ち」、設定できない受付番号を「欠」、仮押さえ中の受付番号を「仮押さえ」で表している。
【００４０】
ステップＳ１４に進み、発券制御部４２はフラグが「−」である未設定の受付番号を含むレコードのうち、最初のレコードの番号を受付番号として発券機２に受付番号券を発券させる。例えば図７の番号テーブル４８の場合、発券制御部４２は番号「９」を受付番号として発券機２に受付番号券を発券させる。
【００４１】
ステップＳ１５に進み、発券制御部４２は受付番号とした番号を含むレコードのフラグに「待ち」を設定したあと、発券処理を終了する。
【００４２】
図８は予約受付部が行う予約受付処理の一例を示したフローチャートである。ステップＳ２１に進み、予約受付部４３は端末３から予約申請データを受け付ける。ステップＳ２２に進み、予約受付部４３は予約申請データを解析し、例えば端末３のメールアドレス等の回答先と、予約希望時刻（予約時刻）とを抽出する。
【００４３】
ステップＳ２３に進み、予約受付部４３は図９に示す処理条件テーブル４７を参照して一客当り所要見込み時間及び誤差見込みを読み出す。図９は処理条件テーブルの一例の構成図である。図９の処理条件テーブル４７は、一客当り所要見込み時間及び誤差見込みを項目として含む構成である。
【００４４】
ステップＳ２４に進み、予約受付部４３は図７に示す番号テーブル４８を参照し、フラグが「待ち」となっているレコード数を取得し、待ち人数とする。また、ステップＳ２５に進み、予約受付部４３は現在時刻を取得する。
【００４５】
ステップＳ２６に進み、予約受付部４３は図１０に示す仮押さえ番号作業テーブル４９を参照する。図１０は仮押さえ番号作業テーブルの一例の構成図である。図１０の仮押さえ番号作業テーブル４９は、回答先，予約時刻及び仮押さえ番号を項目として含む構成である。例えば項目「回答先」は、端末３のメールアドレス等である。項目「予約時刻」は端末３から受け付けた予約時刻である。項目「仮押さえ番号」は予約顧客に発行する予定の受付番号を仮押さえ番号として設定しておくものである。なお、仮押さえ番号が設定されていないとき、項目「仮押さえ番号」には「未」が設定されている。
【００４６】
予約受付部４３は図１０に示す仮押さえ番号作業テーブル４９を参照し、項目「仮押さえ番号」が「未」であり、且つ、項目「予約時刻」が予約希望時刻以前であるレコード数を待ち人数に加算する。
【００４７】
ステップＳ２７に進み、予約受付部４３は以下の式（１）を計算して予約可能時刻を算出する。
【００４８】
［予約可能時刻］＝［現在時刻］＋［待ち人数］×［一客当り所要見込み時間］
・・・（１）
ステップＳ２８に進み、予約受付部４３は予約希望時刻が予約可能時刻と同刻又は後刻かを判定する。予約希望時刻が予約可能時刻と同刻又は後刻であれば（Ｓ２８においてＹＥＳ）、予約受付部４３はステップＳ２９に進む。
【００４９】
ステップＳ２９では、予約受付部４３が、例えば予約希望時刻で予約を受け付けた旨の文面，他のお客様への対応状況により時間が多少前後することがあるので、予約希望時刻の［誤差見込み］前の来店を促す文面を、回答先へ通知する。
【００５０】
ステップＳ３０に進み、予約受付部４３は図１０の仮押さえ番号作業テーブル４９に新規のレコードを追加する。追加する新規のレコードは、項目「回答先」に予約申請データを送信した端末３のメールアドレス等、項目「予約時刻」に予約希望時刻、項目「仮押さえ番号」に「未」を設定したあと、予約受付処理を終了する。
【００５１】
予約希望時刻が予約可能時刻と同刻又は後刻でなければ（Ｓ２８においてＮＯ）、予約受付部４３はステップＳ３１に進む。ステップＳ３１では、予約受付部４３が、予約希望時刻で予約を受け付けられない旨の文面，現時点で予約可能な時刻が［予約可能時刻］以後である旨の文面を、回答先へ通知したあと、予約受付処理を終了する。
【００５２】
図１１は前倒し調整部が行う前倒し調整処理の一例を表したフローチャートである。ステップＳ４１に進み、前倒し調整部４５は現在時刻を取得する。また、前倒し調整部４５はステップＳ４２に進み、図９に示した処理条件テーブル４７を参照して一客当り所要見込み時間及び誤差見込みを読み出す。
【００５３】
ステップＳ４３に進み、前倒し調整部４５は図１０に示す仮押さえ番号作業テーブル４９のレコードのうち、項目「予約時刻」の昇順に、項目「仮押さえ番号」が「未」でない１レコードを読み出し、そのレコードの予約時刻を抽出する。
【００５４】
ステップＳ４４に進み、前倒し調整部４５は図７に示す番号テーブル４８を参照し、フラグが「待ち」か「仮押さえ」となっているレコード数を取得し、待ち人数とする。前倒し調整部４５はステップＳ４５に進み、以下の式（２）を計算して仮押さえ番号処理開始見込時刻を算出する。
【００５５】
［仮押さえ番号処理開始見込時刻］
＝［現在時刻］＋［待ち人数］×［一客当り所要見込み時間］・・・（２）
ステップＳ４６に進み、前倒し調整部４５は以下の式（３）の関係を満たすか否かを判定する。なお、式（３）の関係を満たす場合は、実際の取引時間が一客当り所要見込み時間よりも短く、誤差見込みを考慮しても仮押さえ番号処理開始見込時刻が予約時刻と比べて早すぎることを表している。
【００５６】
［仮押さえ番号処理開始見込時刻］＋［誤差見込み］＜［予約時刻］・・・（３）
式（３）の関係を満たせば（Ｓ４６においてＹＥＳ）、前倒し調整部４５は仮押さえ番号作業テーブル４９の該当レコード（Ｓ４３で抽出したレコード）の仮押さえ番号に該当する番号テーブル４８のレコードのフラグを「欠」に設定する。ステップＳ４８に進み、前倒し調整部４５は仮押さえ番号作業テーブル４９の該当レコードの仮押さえ番号に「未」を設定したあと、ステップＳ４９に進む。
【００５７】
なお、式（３）の関係を満たさなければ（Ｓ４６においてＮＯ）、前倒し調整部４５はステップＳ４７，Ｓ４８の処理を行わずにステップＳ４９に進む。ステップＳ４９では、前倒し調整部４５が、仮押さえ番号作業テーブル４９から項目「仮押さえ番号」が「未」でない全レコードを抽出し終えたか否かを判定する。
【００５８】
項目「仮押さえ番号」が「未」でない全レコードを抽出し終えていなければ（Ｓ４９においてＮＯ）、前倒し調整部４５はステップＳ４３に戻り処理を続ける。項目「仮押さえ番号」が「未」でない全レコードを抽出し終えていれば（Ｓ４９においてＹＥＳ）、前倒し調整部４５は前倒し調整処理を終了する。
【００５９】
上記の前倒し調整処理により、前倒し調整部４５は時刻指定による予約に対して受付番号を仮押さえした後、予測以上に前の客向け窓口処理が短時間で終了した場合（指定された予約時刻よりかなり早く仮押さえ番号に到達しそうな場合）に、いったん仮押さえした番号を解除し、さらに後の番号を仮押さえしなおすための準備を行うことが可能になる。
【００６０】
なお、指定予約時刻よりかなり早く仮押さえ番号に到達する見込みとなった場合、前倒し調整部４５はもし仮押さえ番号の後続の番号を既に多量連続発行していて、指定予約時刻にちょうどよい受付番号を既に別な顧客へ発行済みであるならば、その仮押さえ番号を本発行し、指定予約時刻頃に呼出番号表示装置で表示するような運用にしても構わない。
【００６１】
図１２は本発行部が行う本発行処理の一例を表したフローチャートである。ステップＳ５１に進み、本発行部４６は仮押さえ番号作業テーブル４９のレコードのうち、項目「予約時刻」の昇順に１レコードを読み出し、そのレコードの予約時刻を抽出する。ステップＳ５２に進み、本発行部４６は現在時刻を取得する。
【００６２】
ステップＳ５３に進み、本発行部４６は、以下の式（４）の関係を満たすか否かを判定する。なお、式（４）の関係を満たす場合は、誤差見込みを考慮すると現在時刻が予約時刻になったことを表している。
【００６３】
［現在時刻］＋［誤差見込み］≧［予約時刻］・・・（４）
式（４）の関係を満たせば（Ｓ５３においてＹＥＳ）、本発行部４６はステップＳ５４に進み、仮押さえ番号作業テーブル４９の該当レコード（Ｓ５１で抽出したレコード）の仮押さえ番号を抽出する。ステップＳ５５に進み、本発行部４６は該当レコードに仮押さえ番号が設定されているか否かを判定する。
【００６４】
仮押さえ番号が設定されていれば（Ｓ５５においてＹＥＳ）、本発行部４６はステップＳ５６に進み、該当レコードの仮押さえ番号を回答先へ、受付番号として電子メール等で通知する。なお、仮押さえ番号が設定されていなければ（Ｓ５５においてＮＯ）、本発行部４６はステップＳ５７に進み、番号テーブル４８を読み出し、フラグが「待ち」である次のレコードの番号を、受付番号として、仮押さえ番号作業テーブル４９の該当レコードの回答先へ通知する。
【００６５】
ステップＳ５６又はＳ５７に続いてステップＳ５８に進み、本発行部４６は仮押さえ番号作業テーブル４９の当該レコードを削除する。ステップＳ５９に進み、本発行部４６は受付番号に相当する番号テーブル４８のレコードのフラグに「待ち」を設定した後、本発行処理を終了する。また、式（４）の関係を満たさなければ（Ｓ５３においてＮＯ）、本発行部４６は本発行処理を終了する。
【００６６】
図１３は窓口事務連携部が行う窓口連携処理の一例を表したフローチャートである。ステップＳ６１に進み、窓口事務連携部４１は番号テーブル４８のレコードを番号順に読み出す。
【００６７】
ステップＳ６２に進み、窓口事務連携部４１はフラグが「待ち」である最初のレコードの番号を次に読み出す受付番号として呼出番号表示装置４に表示させる。ステップＳ６３に進み、窓口事務連携部４１は窓口業務を行っている間、当該レコード（Ｓ６１で読み出したレコード）のフラグを「中」に設定する。ステップＳ６４に進み、窓口事務連携部４１は当該レコードのフラグを「済」に設定したあと、窓口連携処理を終了する。
【００６８】
図１４は番号調整部が行う番号調整処理の一例を表したフローチャートである。ステップＳ７１に進み、番号調整部４４は現在時刻を取得する。また、番号調整部４４はステップＳ７２に進み、図９に示した処理条件テーブル４７を参照して一客当り所要見込み時間及び誤差見込みを読み出す。
【００６９】
ステップＳ７３に進み、番号調整部４４は図１０に示す仮押さえ番号作業テーブル４９のレコードのうち、項目「予約時刻」の昇順に、１レコードを読み出し、そのレコードの予約時刻を抽出する。
【００７０】
ステップＳ７４に進み、番号調整部４４は図７に示す番号テーブル４８を参照し、フラグが「待ち」か「仮押さえ」となっているレコード数を取得し、待ち人数とする。番号調整部４４はステップＳ７５に進み、以下の式（５）を計算して次受付番号処理開始見込時刻を算出する。
【００７１】
［次受付番号処理開始見込時刻］
＝［現在時刻］＋［待ち人数］×［一客当り所要見込み時間］・・・（５）
ステップＳ７６に進み、番号調整部４４は以下の式（６）の関係を満たすか否かを判定する。なお、式（６）の関係を満たす場合は、次に発行される受付番号の処理開始見込時間（呼出番号表示装置４に表示される見込時間）が、そのレコードの予約時刻に適していることを表している。
【００７２】
［次受付番号処理開始見込時刻］−［誤差見込み］＜［予約時刻］＜［次受付番号処理開始見込時刻］＋［誤差見込み］・・・（６）
式（６）の関係を満たせば（Ｓ７６においてＹＥＳ）、番号調整部４４はステップＳ７７に進み、番号テーブル４８のレコードのうちフラグが「−」である最初のレコードの番号を仮押さえ番号とするために、そのフラグに「仮押さえ」を設定する。ステップＳ７８に進み、番号調整部４４は仮押さえ番号作業テー４９の該当レコード（Ｓ７３で抽出したレコード）に仮押さえ番号を設定したあと、ステップＳ７９に進む。
【００７３】
なお、式（６）の関係を満たさなければ（Ｓ７６においてＮＯ）、番号調整部４４はステップＳ７７，Ｓ７８の処理を行わずにステップＳ７９に進む。ステップＳ７９では、番号調整部４４が、仮押さえ番号作業テーブル４９から全レコードを抽出し終えたか否かを判定する。全レコードを抽出し終えていなければ（Ｓ７９においてＮＯ）、番号調整部４４はステップＳ７３に戻り処理を続ける。全レコードを抽出し終えていれば（Ｓ７９においてＹＥＳ）、番号調整部４４は番号調整処理を終了する。
【実施例１】
【００７４】
図１５は本発明による順番待ち制御システムの運用イメージを模式的に表した説明図である。なお、図１５の運用イメージでは、前提条件として一客当り所要見込み時間を５分間（前提条件Ａ）とみなす。また、図１５の運用イメージでは、端末３からの時間指定による予約申請の場合、予約時刻の前後５分以内（前提条件Ｂ）に窓口業務の開始を目指すものとする。
【００７５】
本発明による順番待ち制御システムでは、予約申請を受け付けると、逐次、現在時刻及び現在の待ち人数を監視し続けて、以下の式（７）の関係を満たした段階で、最新の受付番号を仮押さえする。なお、この式（７）は、式（２）〜（５）の変形式に前提条件Ａ，Ｂを勘案した式である。
【００７６】
［予約希望時刻］−［現在時刻］−［前提条件Ｂの５分］≦［前提条件Ａの仕掛時間５分］＋［前提条件Ａの一客当り所要見込み時間５分］×［待ち人数］・・・（７）
そして、予約申請してきた顧客への通知期限時点で仮押さえしている受付番号を本発行して顧客の端末３へ通知する。発券機２は仮押さえしている受付場号を発行しない。本発行して顧客の端末３へ通知された受付番号は、発券機２から発券された受付番号券に印刷されている受付番号と同様、呼出番号表示装置４に表示する呼出番号として扱われる。
【００７７】
なお、本発明による順番待ち制御システムでは、一旦、式（７）の関係を満たして受付番号を仮押さえしたあと、式（７）の関係を満たさなくなった場合、再度、式（７）を満たした段階で受付番号を仮押さえし直す。
【００７８】
以下では、具体的に説明する。図１５の運用イメージでは窓口が４つある金融機関の例を表している。また、図１５の運用イメージでは発券済の受付番号券に印刷された受付番号を（１）〜（１９）で表している。
【００７９】
図１５（Ａ）は運用イメージにおける前提状況を表している。図１５（Ａ）は１０時の様子を表している。そして、顧客Ａの端末３から予約時刻が１１時の予約申請があったものとする。窓口では、受付番号（１）〜（４）の顧客が取引等を行っている。予約希望時刻が１１時の場合、以下の式（８）から予約可能時刻を算出する。
【００８０】
［予約可能時刻］＝［現在時刻］＋［前提条件Ａの仕掛時間５分］＋［待ち人数］×［前提条件Ａの一客当り所要見込み時間５分］・・・（８）
現在時刻１０時，待ち人数２人であるので、予約可能時刻は式（８）から１０時１５分となる。つまり、１０時１５分以降の予約時刻は受付可能である。よって、順番待ち制御装置１は顧客Ａの端末３へ「ご希望の１１：００の窓口予約を受け付けました。他のお客様対応状況により、時間が多少前後することがあります。５分前にはお越し下さい。受付番号は、後刻（１０：５５分頃）に、本携帯電話番号へ通知します。その通知を窓口でご提示ください。」というメッセージを通知する。
【００８１】
図１５（Ｂ）は運用イメージにおける受付番号を仮押さえする状況を表している。図１５（Ｂ）は１０時３０分の様子を表している。待ち人数は受付番号（１２）〜（１４）の３人である。この状態で、新たな４人の顧客（イ，ロ，ハ，ニ）が、ほぼ同時に来店し、発券機２から次々と受付番号券の発券を受けたとする。
【００８２】
１番目の顧客イについて受付番号「１５」が印刷された受付番号券を発券すると、以下に示すように式（７）の関係は満たされる。
【００８３】
式（７）の左辺：１１時−１０時３０分−５分＝２５分
式（７）の右辺：５分＋５分×４人＝２５分
したがって、順番待ち制御装置１は受付番号「１６」を顧客Ａ向けに仮押さえする。発券機２が次に発券する受付番号券には受付番号「１７」が印刷される。２番目〜４番目である顧客ロ，ハ，ニについては受付番号「１７」，「１８」，「１９」が印刷された受付番号券を発券する。
【００８４】
図１５（Ｃ）は運用イメージにおける仮押さえした受付番号を発行しない状況を表している。図１５（Ｃ）は１０時３１，３２分頃の様子を表している。受付番号（１２）〜（１３）の顧客の窓口業務が見込み通り５（分／人）の計２０分であった場合、１０時５５分には仮押さえしていた受付番号「１６」を顧客Ａの端末３へ受付番号として通知する。
【００８５】
一方、受付番号（１２）〜（１３）の顧客の窓口業務が見込みより極端に短かった場合は式（７）の関係を満たさなくなった時点で、仮押さえしている受付番号の仮押さえを解除する。そして、再度、式（７）を満たした段階で受付番号を仮押さえする。式（７）の関係を満たし続けると、順番待ち制御装置１は１０時５５分に仮押さえしている受付番号を顧客Ａの端末３へ受付番号として通知する。
【００８６】
なお、仮押さえしている受付番号の仮押さえを解除した場合、仮押さえしていた次の受付番号が未発行であれば、順番待ち制御装置１は仮押さえしていた受付番号を新たに発行することもできる。
【００８７】
このように、本発明による順番待ち制御システムでは無予約顧客と予約顧客とで共通した一連の受付番号を発行できるので、受付番号券による順番待ち制御と、時間指定による順番待ち制御とを両立可能である。
【００８８】
なお、図１及び図２の順番待ち制御システムは順番待ち制御装置１，発券機２，呼出番号表示装置４が別々に設けられているが、順番待ち制御装置１及び発券機２を一体化する構成、順番待ち制御装置１及び呼出番号表示装置４を一体化する構成、発券機２及び呼出番号表示装置４を一体化する構成、順番待ち制御装置１，発券機２，呼出番号表示装置４を一体化する構成も可能である。
【００８９】
また、本実施例では本発行処理により受付番号を端末３へ送信していたが、例えば来店した顧客が発券機２の所定部分に端末３を近づけることにより、非接触式ＩＣカード機能を利用して顧客を特定し、その顧客が行った予約申請に対応する受付番号の受付番号券を発券するようにしてもよい。
【００９０】
本発明は、以下に記載する付記のような構成が考えられる。
（付記１）
受付番号が付与された受付番号券の発券順による順番決定と、時間指定による順番決定とを両立する順番待ち制御装置であって、
未設定の前記受付番号を識別可能に管理する番号テーブル手段と、
前記受付番号券を発券する発券手段を制御し、前記受付番号券の発券順により順番が決定される発券者に前記番号テーブル手段により識別される未設定の前記受付番号を付与した受付番号券を発券する発券機制御手段と、
時間指定により順番が決定される予約者の端末からネットワーク経由で予約時刻を受け付ける予約受付手段と、
順番待ち中の前記発券者および予約者の人数及び一人あたりの所要見込み時間から前記受付番号券を発券済の受付番号の次の受付番号の開始見込み時刻を算出し、その開始見込み時刻が前記予約時刻と近似していれば該次の受付番号を前記予約者の受付番号として仮押さえするように前記番号テーブル手段に設定する番号調整手段と
を有することを特徴とする順番待ち制御装置。
（付記２）
前記予約時刻から所定時間前に、前記仮押さえした前記予約者の受付番号を前記予約者の端末に通知すると共に、前記仮押さえした前記予約者の受付番号を、順番待ち中の前記受付番号として前記番号テーブル手段に設定する本発行手段を更に有することを特徴とする付記１記載の順番待ち制御装置。
（付記３）
順番待ち中の前記発券者および予約者の人数及び一人あたりの所要見込み時間から次の受付番号の開始見込み時刻を算出し、その開始見込み時刻が前記予約時刻よりも所定時間以上早ければ、前記仮押さえした前記予約者の受付番号の仮押さえを解除する前倒し調整手段を更に有することを特徴とする付記１記載の順番待ち制御装置。
（付記４）
前記番号テーブル手段が管理している設定済の前記受付番号のうち、順番待ち中の最初の前記受付番号を現在の順番として出力すると共に、現在の順番として出力した前記受付番号を、順番待ち済みの前記受付番号として前記番号テーブル手段に設定する連携手段を更に有することを特徴とする付記１記載の順番待ち制御装置。
（付記５）
受付番号が付与された受付番号券の発券順による順番決定と、時間指定による順番決定とを両立する、未設定の前記受付番号を識別可能に管理する番号テーブル手段と、前記受付番号券を発券する発券手段とを有している順番待ち制御装置における順番待ち制御方法であって、
前記発券手段を制御し、前記受付番号券の発券順により順番が決定される発券者に前記番号テーブル手段により識別される未設定の前記受付番号を付与した受付番号券を発券する発券機制御ステップと、
時間指定により順番が決定される予約者の端末からネットワーク経由で予約時刻を受け付ける予約受付ステップと、
順番待ち中の前記発券者および予約者の人数及び一人あたりの所要見込み時間から前記受付番号券を発券済の受付番号の次の受付番号の開始見込み時刻を算出し、その開始見込み時刻が前記予約時刻と近似していれば該次の受付番号を前記予約者の受付番号として仮押さえするように前記番号テーブル手段に設定する番号調整ステップと
を有することを特徴とする順番待ち制御方法。
（付記６）
前記予約時刻から所定時間前に、前記仮押さえした前記予約者の受付番号を前記予約者の端末に通知すると共に、前記仮押さえした前記予約者の受付番号を、順番待ち中の前記受付番号として前記番号テーブル手段に設定する本発行ステップを更に有することを特徴とする付記５記載の順番待ち制御方法。
（付記７）
順番待ち中の前記発券者および予約者の人数及び一人あたりの所要見込み時間から次の受付番号の開始見込み時刻を算出し、その開始見込み時刻が前記予約時刻よりも所定時間以上早ければ、前記仮押さえした前記予約者の受付番号の仮押さえを解除する前倒し調整ステップを更に有することを特徴とする付記５記載の順番待ち制御方法。
（付記８）
前記番号テーブル手段が管理している設定済の前記受付番号のうち、順番待ち中の最初の前記受付番号を現在の順番として出力すると共に、現在の順番として出力した前記受付番号を、順番待ち済みの前記受付番号として前記番号テーブル手段に設定する連携ステップを更に有することを特徴とする付記５記載の順番待ち制御方法。
（付記９）
記憶装置、演算処理装置を含み、受付番号が付与された受付番号券の発券順による順番決定と、時間指定による順番決定とを両立するコンピュータにおいて実行される順番待ち制御プログラムであって、
前記記憶装置は、未設定の前記受付番号を識別可能に管理する番号テーブル手段を有しており、
前記演算処理装置を、
前記受付番号券を発券する発券手段を制御し、前記受付番号券の発券順により順番が決定される発券者に前記番号テーブル手段により識別される未設定の前記受付番号を付与した受付番号券を発券する発券機制御手段と、
時間指定により順番が決定される予約者の端末からネットワーク経由で予約時刻を受け付ける予約受付手段と、
順番待ち中の前記発券者および予約者の人数及び一人あたりの所要見込み時間から前記受付番号券を発券済の受付番号の次の受付番号の開始見込み時刻を算出し、その開始見込み時刻が前記予約時刻と近似していれば該次の受付番号を前記予約者の受付番号として仮押さえするように前記番号テーブル手段に設定する番号調整手段として実行させる順番待ち制御プログラム。
（付記１０）
前記予約時刻から所定時間前に、前記仮押さえした前記予約者の受付番号を前記予約者の端末に通知すると共に、前記仮押さえした前記予約者の受付番号を、順番待ち中の前記受付番号として前記番号テーブル手段に設定する本発行手段として更に実行させることを特徴とする付記９記載の順番待ち制御プログラム。
（付記１１）
順番待ち中の前記発券者および予約者の人数及び一人あたりの所要見込み時間から次の受付番号の開始見込み時刻を算出し、その開始見込み時刻が前記予約時刻よりも所定時間以上早ければ、前記仮押さえした前記予約者の受付番号の仮押さえを解除する前倒し調整手段として更に実行させることを特徴とする付記９記載の順番待ち制御プログラム。
（付記１２）
前記番号テーブル手段が管理している設定済の前記受付番号のうち、順番待ち中の最初の前記受付番号を現在の順番として出力すると共に、現在の順番として出力した前記受付番号を、順番待ち済みの前記受付番号として前記番号テーブル手段に設定する連携手段として更に実行させることを特徴とする付記９記載の順番待ち制御プログラム。
【００９１】
本発明は、具体的に開示された実施例に限定されるものではなく、特許請求の範囲から逸脱することなく、種々の変形や変更が可能である。
【符号の説明】
【００９２】
１    順番待ち制御装置
２    発券機
３    端末
４    呼出番号表示装置
５    ネットワーク
６    予約受付装置
１１    入力装置
１２    出力装置
１３    ドライブ装置
１４    補助記憶装置
１５    メモリ装置
１６    演算処理装置
１７    インターフェース装置
１８    記録媒体
４１    窓口事務連携部
４２    発券制御部
４３    予約受付部
４４    番号調整部
４５    前倒し調整部
４６    本発行部
４７    処理条件テーブル
４８    番号テーブル
４９    仮押さえ番号作業テーブル
【図１】
2014102858.tif 000003
【図２】
2014102858.tif 000004
【図３】
2014102858.tif 000005
【図４】
2014102858.tif 000006
【図５】
2014102858.tif 000007
【図６】
2014102858.tif 000008
【図７】
2014102858.tif 000009
【図８】
2014102858.tif 000010
【図９】
2014102858.tif 000011
【図１０】
2014102858.tif 000012
【図１１】
2014102858.tif 000013
【図１２】
2014102858.tif 000014
【図１３】
2014102858.tif 000015
【図１４】
2014102858.tif 000016
【図１５】
2014102858.tif 000017